(57)【要約】【課題】複数の立体映像を１つの画面に同時に表示させて、視聴者が立体映像を自由に選択できるように利便性を向上した立体映像表示装置を提供することを目的としている。【解決手段】映像２１０を画面２２０に表示する表示パネル２３０と、映像２１０を画面２２０に表示する映像制御部２４０とを備え、この映像２１０は、互いに視差を有する右目用映像と左目用映像を含み、映像制御部２４０は、画面２２０の任意の位置に第１映像２５１と第２映像２５２を同時に表示させるとともに、第１映像２５１、第２映像２５２の各々の右目用映像と左目用映像を周期的に画面２２０に表示させ、第１映像２５１と第２映像２５２における各々の右目用映像と左目用映像の表示タイミングを同期させた構成である。【選択図】図４
2013080987.tif 000002
【特許請求の範囲】
【請求項１】
映像を画面に表示する表示パネルと、
前記映像を前記画面に表示する映像制御部とを備え、
前記映像は、互いに視差を有する右目用映像と左目用映像を含み、
前記映像制御部は、
前記画面の任意の位置に複数の前記映像を同時に表示させるとともに、前記右目用映像と前記左目用映像を周期的に前記画面に表示させ、
複数の前記映像の内、少なくとも２つの前記映像における各々の右目用映像の表示タイミングを同期させるとともに、各々の左目用映像の表示タイミングを同期させた
立体映像表示装置。
【請求項２】
前記映像制御部は、
複数の前記映像の内、全ての前記映像における各々の右目用映像の表示タイミングを同期させるとともに、各々の左目用映像の表示タイミングを同期させた請求項１に記載の立体映像表示装置。
【請求項３】
複数の前記映像は第１映像と第２映像を有し、
前記第１映像における右目用映像は第１Ｒ映像フレームに基づいて形成され、左目用映像は第１Ｌ映像フレームに基づいて形成されており、
前記第２映像における右目用映像は第２Ｒ映像フレームに基づいて形成され、左目用映像は第２Ｌ映像フレームに基づいて形成されており、
前記映像制御部は、
前記第１Ｒ映像フレームと前記第１Ｌ映像フレームを格納するメモリ部と、
前記第１Ｒ映像フレームと前記第１Ｌ映像フレームを前記メモリ部に書き込むライト部と、
前記第１Ｒ映像フレームと前記第１Ｌ映像フレームを前記メモリ部から読み出すリード部とを有し、
前記リード部は、
前記第２Ｒ映像フレームと同期させるように前記メモリ部から前記第１Ｒ映像フレームを読み出すとともに、前記第２Ｌ映像フレームと同期させるように前記メモリ部から前記第１Ｌ映像フレームを読み出し、
前記第１Ｒ映像フレームおよび前記第２Ｒ映像フレームに基づいて形成された各々の右目用映像の表示タイミングを同期させるとともに、前記第１Ｌ映像フレームおよび前記第２Ｌ映像フレームに基づいて形成された各々の左目用映像の表示タイミングを同期させた
請求項１に記載の立体映像表示装置。
【請求項４】
前記メモリ部は、前記第１映像における１つの第１Ｒ映像フレームと１つの第１Ｌ映像フレームとを合わせた２つの映像フレームのみを同時に格納し、
前記リード部は、前記第１Ｒ映像フレームと前記第１Ｌ映像フレームの判別信号および前記第２Ｒ映像フレームと前記第２Ｌ映像フレームの判別信号に基づいて、前記第１Ｒ映像フレームと前記第２Ｒ映像フレームの読み出しタイミングを同期させて読み出すとともに、前記第１Ｌ映像フレームと前記第２Ｌ映像フレームの読み出しタイミングを同期させて読み出す
請求項３に記載の立体映像表示装置。
【請求項５】
複数の前記映像は第１映像と第２映像を有し、
前記第１映像における右目用映像は複数の第１Ｒ映像フレームを有し、左目用映像は複数の第１Ｌ映像フレームを有し、
前記第２映像における右目用映像は複数の第２Ｒ映像フレームを有し、左目用映像は複数の第２Ｌ映像フレームを有し、
前記映像制御部は、
前記第１、第２Ｒ映像フレームと前記第１、第２Ｌ映像フレームを格納するメモリ部と、
前記第１、第２Ｒ映像フレームと前記第１、第２Ｌ映像フレームを前記メモリ部に書き込むライト部と、
前記第１、第２Ｒ映像フレームと前記第１、第２Ｌ映像フレームを前記メモリ部から読み出すリード部とを有し、
前記リード部は、
前記第１Ｒ映像フレームと前記第２Ｒ映像フレームの読み出しタイミングを同期させて読み出すとともに、前記第１Ｌ映像フレームと前記第２Ｌ映像フレームの読み出しタイミングを同期させて読み出し、
前記第１Ｒ映像フレームおよび前記第２Ｒ映像フレームに基づいて形成された各々の右目用映像の表示タイミングを同期させるとともに、前記第１Ｌ映像フレームおよび前記第２Ｌ映像フレームに基づいて形成された各々の左目用映像の表示タイミングを同期させた
請求項１に記載の立体映像表示装置。
【請求項６】
前記メモリ部は、前記第１映像における第１Ｒ映像フレームまたは第１Ｌ映像フレームのいずれかの映像フレームと、前記第２映像における第２Ｒ映像フレームと第２Ｌ映像フレームのいずれかの映像フレームとを合わせた２つの映像フレームのみを同時に格納し、
前記リード部は、前記第１Ｒ映像フレームと前記第１Ｌ映像フレームの判別信号および前記第２Ｒ映像フレームと前記第２Ｌ映像フレームの判別信号に基づいて、前記第１Ｒ映像フレームと前記第２Ｒ映像フレームの読み出しタイミングを同期させて読み出すとともに、前記第１Ｌ映像フレームと前記第２Ｌ映像フレームの読み出しタイミングを同期させて読み出す
請求項５に記載の立体映像表示装置。
【請求項７】
前記立体映像表示装置は、さらに、前記複数の映像の少なくとも一つの映像の入力を変更し新たな映像を入力する変更部を備え、
前記映像制御部は、
前記変更部により変更された映像と他の映像とを、少なくとも２つの前記映像における各々の右目用映像の表示タイミングを同期させるとともに、各々の左目用映像の表示タイミングを同期させた請求項１に記載の立体映像表示装置。
【請求項８】
前記映像制御部は、
前記変更部により変更された映像の表示タイミングを遅延することにより、全ての前記映像における各々の右目用映像の表示タイミングを同期させるとともに、各々の左目用映像の表示タイミングを同期させた請求項１に記載の立体映像表示装置。
【発明の詳細な説明】
【技術分野】
【０００１】
本発明は、両眼視差を利用して立体映像を表示する立体映像表示装置に関する。
【背景技術】
【０００２】
近年、プラズマディスプレイパネルや液晶パネルを用いて、立体映像を表示する立体映像表示装置の開発が積極的に行われている。例えば、両眼視差を利用した立体映像表示装置は、互いに視差を有する右目用映像と左目用映像を交互に表示パネルの画面に表示する。右目用映像が写し出された際は、この映像を右目で見て、左目用映像が写し出された際は、この映像を左目で見る。これらの右目用映像と左目用映像が互いに視差を有するので、映像が立体的に見える。この立体映像は、右目用映像と左目用映像の視差量によって、映像の奥行き感や飛び出し感が変わる。視差量が大きければ、奥行きや飛び出しも大きくなり、視差量が小さければ、奥行きや飛び出しも小さくなる。
【０００３】
このような立体映像表示装置において、右目用映像を右目で、左目用映像を左目で見るためには、例えば、シャッター方式の眼鏡を用いる。このシャッター方式の眼鏡には、右目用レンズと左目用レンズに、光の通過と遮断を切り替える液晶フィルタを配置している。液晶フィルタのシャッター開閉によって、光の通過と遮断を切り替える。
【０００４】
具体的には、表示パネルに映し出される右目用映像と左目用映像が切り替わるタイミングに同期させて、右目用レンズと左目用レンズに配置した液晶フィルタのシャッター開閉のタイミングを切り替える。すなわち、右目用映像に切り替わるタイミングに同期させて、右目用レンズに配置した液晶フィルタのシャッターを開いて光を通過させ、左目用レンズに配置した液晶フィルタのシャッターを閉じて光を遮断し、右目だけに右目用映像を見せる。左目用映像に切り替わるタイミングに同期させて、左目用レンズに配置した液晶フィルタのシャッターを開いて光を通過させ、右目用レンズに配置した液晶フィルタのシャッターを閉じて光を遮断し、左目だけに左目用映像を見せる。右目用映像と左目用映像との切り替えタイミングと、液晶フィルタのシャッター開閉のタイミングとは、表示パネルと眼鏡とを無線や有線で接続して同期のタイミングを取る。
【０００５】
これを交互に繰り返し続けることによって、視聴者は、右目用映像と左目用映像から立体的な映像を見ることができる。このシャッター方式の眼鏡を用いた立体映像表示装置は、例えば、特許文献１や特許文献２に開示されている。
【０００６】
さらに、特許文献３には、シャッター方式の眼鏡を用いた立体映像表示装置において、３次元の立体映像だけでなく２次元の通常映像も表示可能にした構成が開示されている。シャッター方式の眼鏡を用いない場合でも映像を楽しめるようにした立体映像表示装置である。信号切り替えスイッチによって、表示パネルの画面に３次元の立体映像を親画面として表示させたり、２次元の通常映像を子画面として表示させたりする。
【先行技術文献】
【特許文献】
【０００７】
【特許文献１】特開２０００−３６９３９号公報
【特許文献２】特開平１０−２４０２１２号公報
【特許文献３】特開平１−１４４７９７号公報
【発明の概要】
【発明が解決しようとする課題】
【０００８】
上記従来の立体映像表示装置では、表示パネルの画面に３次元の立体映像を表示させたり、３次元の立体映像と２次元の通常映像の２つの映像を表示させたりする。しかし、少なくとも２つの３次元の立体映像を１つの画面に同時に表示させたりしていない。このような立体映像表示装置では、複数の３次元の立体映像を１つの画面に同時に表示させて、映像を選択するような利便性を得ることができないという問題を有していた。
【０００９】
本発明は上記問題を解決するもので、複数の立体映像を１つの画面に同時に表示させて、視聴者が立体映像を自由に選択できるように利便性を向上した立体映像表示装置を提供することを目的としている。
【課題を解決するための手段】
【００１０】
上記目的を達成するために本発明の立体映像表示装置は、映像を画面に表示する表示パネルと、前記映像を前記画面に表示する映像制御部とを備え、前記映像は、互いに視差を有する右目用映像と左目用映像を含み、前記映像制御部は、前記画面の任意の位置に複数の前記映像を同時に表示させるとともに、前記右目用映像と前記左目用映像を周期的に前記画面に表示させ、複数の前記映像の内、少なくとも２つの前記映像における各々の右目用映像の表示タイミングを同期させるとともに、各々の左目用映像の表示タイミングを同期させた構成である。
【発明の効果】
【００１１】
本発明の立体映像表示装置によれば、映像制御部が画面の任意の位置に複数の映像を同時に表示するので、視聴者は複数の立体映像を自由に選択でき利便性が向上する。
【００１２】
特に、複数の映像の内、少なくとも２つの映像における各々の右目用映像の表示タイミングを同期させるとともに、各々の左目用映像の表示タイミングを同期させているので、この少なくとも２つの映像は、同じタイミングで右目用映像を画面に表示することになり、同じタイミングで左目用映像を画面に表示することになる。
【００１３】
すなわち、シャッター方式の眼鏡を用いて、視聴者がこれらの複数の映像を見た場合、右目用映像の表示タイミングを同期させるとともに、左目用映像の表示タイミングを同期させた少なくとも２つの映像だけを、正常な映像として同時に見ることができる。これは、シャッター眼鏡のシャッター開閉が右目用映像と左目用映像の表示タイミングに同期しているからである。一方、右目用映像と左目用映像の表示タイミングを同期させていない映像は、断片的な映像になったりして正常な映像として見ることができない。
【００１４】
したがって、１つの画面に複数の映像を表示させる際、視聴者が正常な映像として見たい複数の映像については、右目用映像の表示タイミングを同期させるとともに、左目用映像の表示タイミングを同期させておけばよい。これによって、確実に、複数の立体映像を同時に見ることができる。
【図面の簡単な説明】
【００１５】
【図１】一実施の形態におけるシャッター方式の眼鏡と立体映像表示装置との関係を示すブロック図
【図２】同立体映像表示装置において映像を表示した際の表示パネルの正面図
【図３】右目用映像と左目用映像を含む映像を説明するための概略図
【図４】複数の映像を表示した際の表示パネルの正面図
【図５】右目用映像と左目用映像を含む第１の縮小映像を説明するための概略図
【図６】右目用映像と左目用映像を含む第２の縮小映像を説明するための概略図
【図７Ａ】第１映像用フレーム信号とＬＲ判別信号の信号波形図
【図７Ｂ】第２映像用フレーム信号とＬＲ判別信号の信号波形図
【図８】第１のフレーム処理を施す映像制御部の機能ブロック図
【図９Ａ】第１映像用フレーム信号とＬＲ判別信号の信号波形図
【図９Ｂ】第２映像用フレーム信号とＬＲ判別信号の信号波形図
【図１０】第２のフレーム処理を施す映像制御部の機能ブロック図
【発明を実施するための形態】
【００１６】
以下、一実施の形態における立体映像表示装置について図面を参照しながら説明する。図１は一実態の形態におけるシャッター方式の眼鏡と立体映像表示装置との関係を示すブロック図、図２は同立体映像表示装置において映像を表示した際の表示パネルの正面図、図３は右目用映像と左目用映像を含む映像を説明するための概略図である。
【００１７】
＜シャッター方式の眼鏡１００と立体映像表示装置２００との関係について＞
まず、シャッター方式の眼鏡１００と立体映像表示装置２００との関係について説明する。図１、図２において、立体映像表示装置２００は、映像２１０を表示する画面２２０が配置された表示パネル２３０と、映像２１０の表示を制御する映像制御部２４０とを備えている。この表示パネル２３０としては、例えば、プラズマディスプレイパネルや液晶パネル等を用いる。
【００１８】
図３に示すように、映像２１０は、互いに視差を有する右目用映像２１０Ｒと左目用映像２１０Ｌを含む。映像制御部２４０は、この互いに視差を有する右目用映像２１０Ｒと左目用映像２１０Ｌを交互に表示パネル２３０の画面２２０に表示するように制御している。右目用映像２１０Ｒが写し出された際は、この右目用映像２１０Ｒを右目で見て、左目用映像２１０Ｌが写し出された際は、この左目用映像２１０Ｌを左目で見る。これらの右目用映像２１０Ｒと左目用映像２１０Ｌが互いに視差を有するので、映像２１０が立体的に見える。
【００１９】
図３において、右目用映像２１０Ｒと左目用映像２１０Ｌには、「Ａ」という文字が表示されている。この右目用映像２１０Ｒと左目用映像２１０Ｌが交互に表示パネル２３０の画面２２０に表示されると、視聴者には視差量（Ｗ１）を有する映像２１０として見える。すなわち、映像２１０が立体的に見える。この映像２１０は、右目用映像２１０Ｒと左目用映像２１０Ｌの視差量（Ｗ１）によって、映像２１０の奥行き感や飛び出し感が変わる。視差量（Ｗ１）が大きければ、奥行きや飛び出しも大きくなり、視差量（Ｗ１）が小さければ、奥行きや飛び出しも小さくなる。
【００２０】
右目用映像２１０Ｒを右目で、左目用映像２１０Ｌを左目で見るためには、例えば、シャッター方式の眼鏡１００を用いる。このシャッター方式の眼鏡１００には、右目用レンズと左目用レンズに、光の通過と遮断を切り替える液晶フィルタを配置している。液晶フィルタのシャッター開閉によって、光の通過と遮断を切り替える。
【００２１】
具体的には、表示パネル２３０に映し出される右目用映像２１０Ｒと左目用映像２１０Ｌが切り替わるタイミングに同期させて、右目用レンズと左目用レンズに配置した液晶フィルタのシャッター開閉のタイミングを切り替える。すなわち、右目用映像２１１に切り替わるタイミングに同期させて、右目用レンズに配置した液晶フィルタのシャッターを開いて光を通過させ、左目用レンズに配置した液晶フィルタのシャッターを閉じて光を遮断し、右目だけに右目用映像２１０Ｒを見せる。左目用映像２１２Ｌに切り替わるタイミングに同期させて、左目用レンズに配置した液晶フィルタのシャッターを開いて光を通過させ、右目用レンズに配置した液晶フィルタのシャッターを閉じて光を遮断し、左目だけに左目用映像２１０Ｌを見せる。右目用映像２１０Ｒと左目用映像２１０Ｌとの切り替えタイミングと、液晶フィルタのシャッター開閉のタイミングとは、表示パネル２３０と眼鏡１００とを無線や有線で接続して同期のタイミングを取る。このシャッター開閉を繰り返し続けることによって、視聴者は、視差を有する右目用映像２１０Ｒと左目用映像２１０Ｌから立体的な映像２１０を見ることができる。
【００２２】
＜複数の映像２１０を表示パネル２３０に表示する場合について＞
次に、複数の映像２１０を表示パネル２３０に表示する場合について説明する。図４は複数の映像を表示した際の表示パネルの正面図、図５は右目用映像と左目用映像を含む縮小された第１映像を説明するための概略図、図６は右目用映像と左目用映像を含む縮小された第２映像を説明するための概略図である。
【００２３】
図４において、表示パネル２３０の画面２２０の任意の所定位置に、第１映像２５１と第２映像２５２が同時に表示されている。この第１映像２５１と第２映像２５２は、異なる映像内容でも同じ映像内容でもよく、放送業者から受信した映像内容やメディアに記録された映像内容でもよく、種々の映像内容を対象としている。この第１映像２５１および第２映像２５２は、映像制御部２４０によって、元の映像２１０に対して縮小された縮小映像に加工され、画面２２０に同時に表示されている。図５に示すように、この縮小された第１映像２５１は、元の映像２１０と同様に、視差を有する右目用映像２５１Ｒと左目用映像２５１Ｌを含んでいる。また、図６に示すように、縮小された第２映像２５２は、元の映像２１０と同様に、視差を有する右目用映像２５２Ｒと左目用映像２５２Ｌを含んでいる。
【００２４】
＜複数の映像２１０における視差量の差について＞
次に、複数の映像２１０における視差量の差について説明する。
【００２５】
まず、縮小された第１映像２５１について説明する。この第１映像２５１において、右目用映像２５１Ｒと左目用映像２５１Ｌには、「Ａ」という文字が表示されている。この右目用映像２５１Ｒと左目用映像２５１Ｌが交互に表示パネル２３０の画面２２０に表示されると、視聴者には、第１映像２５１が視差量（Ｗ２）を有する立体映像として見える。すなわち、視聴者は、視差量（Ｗ２）に応じた飛び出し感や奥行き感のある立体映像として第１映像２５１を見ることができる。
【００２６】
ここで、縮小された第１映像２５１と、縮小前の元の映像２１０とを比較した場合、この第１映像２５１の視差量（Ｗ２）は、元の映像２００の視差量（Ｗ１）よりも小さくなっている。この視差量の減少によって、第１映像２５１では、元の映像２１０に比べて、飛び出し感や奥行き感が小さくなる。
【００２７】
次に、縮小された第２映像２５２について説明する。この第２映像２５２において、右目用映像２５２Ｒと左目用映像２５２Ｌには、「Ｂ」という文字が表示されている。この右目用映像２５２Ｒと左目用映像２５２Ｌが交互に表示パネル２３０の画面２２０に表示されると、視聴者には視差量（Ｗ３）を有する立体映像として見える。すなわち、視聴者は、視差量（Ｗ３）に応じた飛び出し感や奥行き感のある立体映像として見ることができる。
【００２８】
ここで、縮小された第２映像２５２と、縮小前の元の映像２１０とを比較した場合、この第２映像２５２の視差量（Ｗ３）は、元の映像２１０の視差量（Ｗ１）よりも小さくなっている。この視差量の減少によって、第２映像２５２では、元の映像２１０に比べて、飛び出し感や奥行き感が小さくなる。
【００２９】
また、第１映像２５１と第２映像２５２とを比較した場合、第２映像２５２の視差量（Ｗ３）は、第１映像２５１の視差量（Ｗ２）よりも小さくなっている。この視差量の差によって、第２映像２５２では、第１映像２５１に比べて、飛び出し感や奥行き感が小さくなる。
【００３０】
このように、元の映像２１０に比べて、第１映像２５１や第２映像２５２は縮小されているので、この縮小によって、視差量も小さくなっている。
【００３１】
また、第１映像２５１と第２映像２５２は画面２２０に同時に表示されるが、第１映像２５１の視差量（Ｗ２）と第２映像２５２の視差量（Ｗ３）が異なると、視聴者は、飛び出し感や奥行き感も異なるように感じる。第１映像２５１と第２映像２５２は、映像製作のデザイン等に応じて、飛び出し感や奥行き感が大きく異なる場合もある。
【００３２】
＜第１映像２５１と第２映像２５２の表示について＞
次に、第１映像２５１と第２映像２５２の表示について説明する。
【００３３】
第１映像２５１は第１映像用フレーム信号に基づいて形成され、第２映像２５２は第２映像用フレーム信号に基づいて形成されている。図７Ａは第１映像用フレーム信号とＬＲ判別信号の信号波形図である。図７Ａに示すように、第１映像用フレーム信号は、複数の第１Ｒ映像フレーム２５１Ｒｆと複数の第１Ｌ映像フレーム２５１Ｌｆを有する。この第１Ｒ映像フレーム２５１Ｒｆに基づいて右目用映像２５１Ｒが形成され、第１Ｌ映像フレーム２５１Ｌｆに基づいて左目用映像２５１Ｌが形成されている。この複数の第１Ｒ映像フレーム２５１Ｒｆには右目用映像２５１Ｒの映像データ２５１Ｒｄが含まれ、複数の第１Ｌ映像フレーム２５１Ｌｆには左目用映像２５１Ｌの映像データ２５１Ｌｄが含まれる。第１映像２５１は、これらの第１Ｒ映像フレーム２５１Ｒｆと第１Ｌ映像フレーム２５１Ｌｆからなる第１映像用フレーム信号に基づいて表示される。これら第１Ｒ映像フレーム２５１Ｒｆと第１Ｌ映像フレーム２５１Ｌｆは、各々に対応するＬＲ判別信号が付与されている。
【００３４】
１つの第１Ｒ映像フレーム２５１Ｒｆに１つの右目用映像２５１Ｒが対応し、１つの第１Ｌ映像フレーム２５１Ｌｆに１つの左目用映像２５１Ｌが対応する。第１映像２５１として、右目用映像２５１Ｒと左目用映像２５１Ｌが交互に画面２２０に表示される際は、例えば、１番目の第１Ｒ映像フレーム２５１Ｒｆに基づいて１番目の右目用映像２５１Ｒが表示され、１番目の第１Ｌ映像フレーム２５１Ｌｆに基づいて１番目の左目用映像２５１Ｌが表示され、２番目の第１Ｒ映像フレーム２５１Ｒｆに基づいて２番目の右目用映像２５１Ｒが表示され、２番目の第１Ｌ映像フレーム２５１Ｌｆに基づいて２番目の左目用映像２５１Ｌが表示され、３番目の第１Ｒ映像フレーム２５１Ｒｆに基づいて３番目の右目用映像２５１Ｒが表示され、３番目の第１Ｌ映像フレーム２５１Ｌｆに基づいて３番目の左目用映像２５１Ｌが表示され、その後も、これが繰り返される。
【００３５】
また、図７Ｂは第２映像用フレーム信号とＬＲ判別信号の信号波形図である。図７Ｂに示すように、第２映像用フレーム信号は、複数の第２Ｒ映像フレーム２５２Ｒｆと複数の第２Ｌ映像フレーム２５２Ｌｆを有する。この第２Ｒ映像フレーム２５２Ｒｆに基づいて右目用映像２５２Ｒが形成され、第２Ｌ映像フレーム２５２Ｌｆに基づいて左目用映像２５２Ｌが形成されている。この複数の第２Ｒ映像フレーム２５２Ｒｆには右目用映像２５２Ｒの映像データ２５２Ｒｄが含まれ、複数の第２Ｌ映像フレーム２５２Ｌｆには左目用映像２５２Ｌの映像データ２５２Ｌｄが含まれる。第２映像２５２は、これらの第２Ｒ映像フレーム２５２Ｒｆと第２Ｌ映像フレーム２５２Ｌｆからなる第２映像用フレーム信号に基づいて表示される。これら第２Ｒ映像フレーム２５２Ｒｆと第２Ｌ映像フレーム２５２Ｌｆは、各々に対応するＬＲ判別信号が付与されている。
【００３６】
１つの第２Ｒ映像フレーム２５２Ｒｆに１つの右目用映像２５２Ｒが対応し、１つの第２Ｌ映像フレーム２５２Ｌｆに１つの左目用映像２５２Ｌが対応する。第２映像２５２として、右目用映像２５２Ｒと左目用映像２５２Ｌが交互に画面２２０に表示される際は、例えば、１番目の第２Ｒ映像フレーム２５２Ｒｆに基づいて１番目の右目用映像２５２Ｒが表示され、１番目の第２Ｌ用映像フレーム２５２Ｌｆに基づいて１番目の左目用映像２５２Ｌが表示され、２番目の第２Ｒ映像フレーム２５２Ｒｆに基づいて２番目の右目用映像２５２Ｒが表示され、２番目の第２Ｌ映像フレーム２５２Ｌｆに基づいて２番目の左目用映像２５２Ｌが表示され、３番目の第２Ｒ映像フレーム２５２Ｒｆに基づいて３番目の右目用映像２５２Ｒが表示され、３番目の第２Ｌ映像フレーム２５２Ｌｆに基づいて３番目の左目用映像２５２Ｌが表示され、その後も、これが繰り返される。
【００３７】
＜映像制御部２４０による第１のフレーム処理について＞
次に、映像制御部２４０によるフレーム処理について説明する。このフレーム処理はいくつかの方法がある。
【００３８】
まず、第１のフレーム処理について説明する。図８は第１のフレーム処理を施す映像制御部の機能ブロック図である。図８に示すように、映像制御部２４０は、第１映像２５１における右目用映像２５１Ｒの第１Ｒ映像フレーム２５１Ｒｆと左目用映像２５１Ｌの第１Ｌ映像フレーム２５１Ｌｆを格納するメモリ部２６０と、第１Ｒ映像フレーム２５１Ｒｆと第１Ｌ映像フレーム２５１Ｌｆをメモリ部２６０に書き込むライト部２７０と、第１Ｒ映像フレーム２５１Ｒｆと第１Ｌ映像フレーム２５１Ｌｆをメモリ部２６０から読み出すリード部２８０とを有する。また、映像制御部２４０は、リード部２８０から読み出された第１Ｒ映像フレーム２５１Ｒｆを右目用映像２５１Ｒとして、第１Ｌ映像フレーム２５１Ｌｆを左目用映像２５１Ｌとして、周期的に画面２２０に表示させる。
【００３９】
この際、第１Ｒ映像フレーム２５１Ｒｆと第１Ｌ映像フレーム２５１Ｌｆは、第２映像２５２における右目用映像２５２Ｒの第２Ｒ映像フレーム２５２Ｒｆと左目用映像２５２Ｌの第２Ｌ映像フレーム２５２Ｌｆに同期させて画面２２０に表示させる。
【００４０】
具体的には次の通りである。図７Ｂに示すように、第２映像用フレーム信号は、複数の第２Ｒ映像フレーム２５２Ｒｆと複数の第２Ｌ映像フレーム２５２Ｌｆを含む。図８において、メモリ部２６０に格納された第１Ｒ映像フレーム２５１Ｒｆと第１Ｌ映像フレーム２５１Ｌｆとを読み出す際、第１Ｒ映像フレーム２５１Ｒｆと第１Ｌ映像フレーム２５１Ｌｆを、第２Ｒ映像フレーム２５２Ｒｆと第２Ｌ映像フレーム２５２Ｌｆに同期するように読み出すことによって、第１Ｒ映像フレーム２５１Ｒｆと第１Ｌ映像フレーム２５１Ｌｆを、第２Ｒ映像フレーム２５２Ｒｆと第２Ｌ映像フレーム２５２Ｌｆに同期させている。メモリ部２６０には、第１Ｒ映像フレーム２５１Ｒｆと第１Ｌ映像フレーム２５１Ｌｆを、各々１つずつ、計２つのフレームを格納する領域を確保しておけばよい。
【００４１】
この第１映像用フレーム信号における第１Ｒ映像フレーム２５１Ｒｆと第１Ｌ映像フレーム２５１ＬｆはＬＲ判別信号によって判別可能であり、第２映像用フレーム信号における第２Ｒ映像フレーム２５２Ｒｆと第２Ｌ映像フレーム２５２ＬｆもＬＲ判別信号によって判別可能である。よって、メモリ部２６０に格納された第１Ｒ映像フレーム２５１Ｒｆと第１Ｌ映像フレーム２５１Ｌｆとを読み出す際、このＬＲ判別信号を利用して同期させている。なお、ＬＲ判別信号は、第１映像用フレーム信号のＶ同期信号および第２映像用フレーム信号のＶ同期信号に基づいて生成される。第１映像用フレーム信号のＶ同期信号は、第１Ｒ映像フレーム２５１Ｒｆおよび第１Ｌ映像フレーム２５１Ｌｆに含まれており、第２映像用フレーム信号のＶ同期信号は、第２Ｒ映像フレーム２５２Ｒｆおよび第２Ｌ映像フレーム２５２Ｌｆに含まれている。このＶ同期信号ごとに、第１Ｒ映像フレーム２５１Ｒｆと第１Ｌ映像フレーム２５１Ｌｆとが区分され、第２Ｒ映像フレーム２５２Ｒｆと第２Ｌ映像フレーム２５２Ｌｆとが区分されている。
【００４２】
その結果、図９Ａに示すように、第１映像用フレーム信号における第１Ｒ映像フレーム２５１Ｒｆおよび第１Ｌ映像フレーム２５１Ｌｆと、第２映像用フレーム信号における第２Ｒ映像フレーム２５２Ｒｆおよび第２Ｌ映像フレーム２５２Ｌｆとの同期が取れていない場合でも、上述したフレーム処理を施すことによって、図９Ｂに示すように、第１映像用フレーム信号における第１Ｒ映像フレーム２５１Ｒｆおよび第１Ｌ映像フレーム２５１Ｌｆと、第２映像用フレーム信号における第２Ｒ映像フレーム２５２Ｒｆおよび第２Ｌ映像フレーム２５２Ｌｆとの同期を取ることができる。
【００４３】
＜第１のフレーム処理を用いた他の映像への切り替えについて＞
次に、第１のフレーム処理を用いた他の映像への切り替えについて説明する。複数の映像が表示されていた場合、いずれかの映像を他の映像に切り替える場合について説明する。このような切り替えをするために、立体映像表示装置には、複数の映像の少なくとも一つの映像の入力を変更し新たな映像を入力する変更部を設けている。映像制御部２４０は、この変更部により変更された映像と他の映像とを、少なくとも２つの映像における各々の右目用映像の表示タイミングを同期させるとともに、各々の左目用映像の表示タイミングを同期させている。映像制御部２４０は、変更部により変更された映像の表示タイミングを遅延することにより、全ての映像における各々の右目用映像の表示タイミングを同期させるとともに、各々の左目用映像の表示タイミングを同期させる。
【００４４】
具体的には、次の通りである。すなわち、図４に示すように、例えば、第１映像２５１と第２映像２５２が画面２２０に表示されていたとする。
【００４５】
第１映像２５１が切り替わった際は、切り替わった第１映像２５１の右目用映像２５１Ｒと第２映像２５２の右目用映像２５２Ｒの表示タイミングを同期させるとともに、切り替わった第１映像２５１の左目用映像２５１Ｌと第２映像２５２の左目用映像２５２Ｌの表示タイミングを同期させる。
【００４６】
このとき、映像制御部２４０は、変更部により変更され切り替わった第１映像２５１の表示タイミングを遅延することにより、第１映像２５１の右目用映像２５１Ｒと第２映像２５２の右目用映像２５２Ｒの表示タイミングを同期させるとともに、第１映像２５１の左目用映像２５１Ｌと第２映像２５２の左目用映像２５２Ｌの表示タイミングを同期させる。
【００４７】
第２映像２５２の右目用映像フレーム２５２Ｒｆと左目用映像フレーム２５２Ｌｆに同期するように、第１映像２５１の右目用映像フレーム２５１Ｒｆと左目用映像フレーム２５１Ｌｆの遅延を合わせる。
【００４８】
第２映像２５２が切り替わった際は、切り替わった第２映像２５２の右目用映像２５２Ｒと第１映像２５１の右目用映像２５１Ｒの表示タイミングを同期させるとともに、切り替わった第２映像２５２の左目用映像２５２Ｌと第１映像２５１の左目用映像２５１Ｌの表示タイミングを同期させる。
【００４９】
第１映像２５１の右目用映像フレーム２５１Ｒｆと左目用映像フレーム２５１Ｌｆを遅延させずに出力する、もしくは、新たな基準となる同期を生成して、その同期に合わせて遅延させる。
【００５０】
＜映像制御部２４０による第２のフレーム処理について＞
次に、第２のフレーム処理について説明する。図１０は第２のフレーム処理を施す映像制御部の機能ブロック図である。図１０に示すように、映像制御部２４０は、第１映像２５１における右目用映像２５１Ｒの第１Ｒ映像フレーム２５１Ｒｆと左目用映像２５１Ｒの第１Ｌ映像フレーム２５１Ｌｆを格納し、第２映像２５２における右目用映像２５２Ｒの第２Ｒ映像フレーム２５２Ｒｆと左目用映像２５２Ｌの第２Ｌ映像フレーム２５２Ｌｆを格納するメモリ部２６０と、第１Ｒ映像フレーム２５１Ｒｆと第１Ｌ映像フレーム２５１Ｌｆと第２Ｒ映像フレーム２５２Ｒｆと第２Ｌ映像フレーム２５２Ｌｆとをメモリ部２６０に書き込むライト部２７０と、これら第１Ｒ映像フレーム２５１Ｒｆと第１Ｌ映像フレーム２５１Ｌｆと第２Ｒ映像フレーム２５２Ｒｆと第２Ｌ映像フレーム２５２Ｌｆとをメモリ部２６０から読み出すリード部２８０とを有する。また、映像制御部２４０は、リード部２８０から読み出された第１Ｒ映像フレーム２５１Ｒｆを右目用映像２５１Ｒとして、第１Ｌ映像フレーム２５１Ｌｆを左目用映像２５１Ｌとして、周期的に画面２２０に表示させる。
【００５１】
この際、第１Ｒ映像フレーム２５１Ｒｆと第１Ｌ映像フレーム２５１Ｌｆは、第２映像２５２における右目用映像２５２Ｒの第２Ｒ映像フレーム２５２Ｒｆと左目用映像２５２Ｌの第２Ｌ映像フレーム２５２Ｌｆに同期させて画面２２０に表示させる。
【００５２】
具体的には次の通りである。図７Ｂに示すように、第２映像用フレーム信号は、複数の第２Ｒ映像フレーム２５２Ｒｆと複数の第２Ｌ映像フレーム２５２Ｌｆを含む。図１０において、メモリ部２６０に格納された第１Ｒ映像フレーム２５１Ｒｆと第１Ｌ映像フレーム２５１Ｌｆと第２Ｒ映像フレーム２５２Ｒｆと第２Ｌ映像フレーム２５２Ｌｆとを読み出す際、ある基準信号に対して、第１Ｒ映像フレーム２５１Ｒｆと第２Ｒ映像フレーム２５２Ｒｆとを同期させて読み出す、または、第１Ｌ映像フレーム２５１Ｌｆと第２Ｌ映像フレーム２５２Ｌｆとを同期させて読み出すことによって、第１Ｒ映像フレーム２５１Ｒｆと第１Ｌ映像フレーム２５１Ｌｆを、第２Ｒ映像フレーム２５２Ｒｆと第２Ｌ映像フレーム２５２Ｌｆに同期させている。
【００５３】
なお、このある基準信号は、第１Ｒ映像フレーム２５１Ｒｆと第１Ｌ映像フレーム２５１Ｌｆとを有する第１映像用フレーム信号、および、第２Ｒ映像フレーム２５２Ｒｆと第２Ｌ映像フレーム２５２Ｌｆとを有する第２映像用フレーム信号と非同期にして生成してもよいし、第１映像用フレーム信号または第２映像用フレーム信号のいずれかと同期させて生成してもよいし、第１映像用フレーム信号または第２映像用フレーム信号を基準に遅延させて生成してもよい。また、メモリ部２６０には、第１Ｒ映像フレーム２５１Ｒｆと第１Ｌ映像フレーム２５１Ｌｆと第２Ｒ映像フレーム２５２Ｒｆと第２Ｌ映像フレーム２５２Ｌｆを、各々１つずつ、計４つのフレームを格納する領域を確保しておけばよい。
【００５４】
この第１映像用フレーム信号における第１Ｒ映像フレーム２５１Ｒｆと第１Ｌ映像フレーム２５１ＬｆはＬＲ判別信号によって判別可能であり、第２映像用フレーム信号における第２Ｒ映像フレーム２５２Ｒｆと第２Ｌ映像フレーム２５２ＬｆもＬＲ判別信号によって判別可能である。よって、メモリ部２６０に格納された第１Ｒ映像フレーム２５１Ｒｆと第１Ｌ映像フレーム２５１Ｌｆと第２Ｒ映像フレーム２５２Ｒｆと第２Ｌ映像フレーム２５２Ｌｆを読み出す際、このＬＲ判別信号を利用して同期させている。なお、ＬＲ判別信号は、第１映像用フレーム信号のＶ同期信号および第２映像用フレーム信号のＶ同期信号に基づいて生成される。第１映像用フレーム信号のＶ同期信号は、第１Ｒ映像フレーム２５１Ｒｆおよび第１Ｌ映像フレーム２５１Ｌｆに含まれており、第２映像用フレーム信号のＶ同期信号は、第２Ｒ映像フレーム２５２Ｒｆおよび第２Ｌ映像フレーム２５２Ｌｆに含まれている。このＶ同期信号ごとに、第１Ｒ映像フレーム２５１Ｒｆと第１Ｌ映像フレーム２５１Ｌｆとが区分され、第２Ｒ映像フレーム２５２Ｒｆと第２Ｌ映像フレーム２５２Ｌｆとが区分されている。
【００５５】
その結果、図９Ａに示すように、第１映像用フレーム信号における第１Ｒ映像フレーム２５１Ｒｆおよび第１Ｌ映像フレーム２５１Ｌｆと、第２映像用フレーム信号における第２Ｒ映像フレーム２５２Ｒｆおよび第２Ｌ映像フレーム２５２Ｌｆとの同期が取れていない場合でも、上述したフレーム処理を施すことによって、図９Ｂに示すように、第１映像用フレーム信号における第１Ｒ映像フレーム２５１Ｒｆおよび第１Ｌ映像フレーム２５１Ｌｆと、第２映像用フレーム信号における第２Ｒ映像フレーム２５２Ｒｆおよび第２Ｌ映像フレーム２５２Ｌｆとの同期を取ることができる。
【００５６】
＜第２のフレーム処理を用いた他の映像への切り替えについて＞
次に、第２のフレーム処理を用いた他の映像への切り替えについて説明する。複数の映像が表示されていた場合、いずれかの映像を他の映像に切り替える場合について説明する。このような切り替えをするために、立体映像表示装置には、複数の映像の少なくとも一つの映像の入力を変更し新たな映像を入力する変更部を設けている。映像制御部２４０は、この変更部により変更された映像と他の映像とを、少なくとも２つの映像における各々の右目用映像の表示タイミングを同期させるとともに、各々の左目用映像の表示タイミングを同期させている。映像制御部２４０は、変更部により変更された映像の表示タイミングを遅延することにより、全ての映像における各々の右目用映像の表示タイミングを同期させるとともに、各々の左目用映像の表示タイミングを同期させる。
【００５７】
具体的には、次の通りである。すなわち、図４に示すように、例えば、第１映像２５１と第２映像２５２が画面２２０に表示されていたとする。
【００５８】
第１映像２５１が切り替わった際は、切り替わった第１映像２５１の右目用映像２５１Ｒと第２映像２５２の右目用映像２５２Ｒの表示タイミングを同期させるとともに、切り替わった第１映像２５１の左目用映像２５１Ｌと第２映像２５２の左目用映像２５２Ｌの表示タイミングを同期させる。このとき、映像制御部２４０は、変更部により変更され切り替わった第１映像２５１の表示タイミングを遅延することにより、第１映像２５１の右目用映像２５１Ｒと第２映像２５２の右目用映像２５２Ｒの表示タイミングを同期させるとともに、第１映像２５１の左目用映像２５１Ｌと第２映像２５２の左目用映像２５２Ｌの表示タイミングを同期させる。
【００５９】
第２映像２５２が切り替わった際は、切り替わった第２映像２５２の右目用映像２５２Ｒと第１映像２５１の右目用映像２５１Ｒの表示タイミングを同期させるとともに、切り替わった第２映像２５２の左目用映像２５２Ｌと第１映像２５１の左目用映像２５１Ｌの表示タイミングを同期させる。このとき、映像制御部２４０は、変更部により変更され切り替わった第２映像２５２の表示タイミングを遅延することにより、第１映像２５１の右目用映像２５１Ｒと第２映像２５２の右目用映像２５２Ｒの表示タイミングを同期させるとともに、第１映像２５１の左目用映像２５１Ｌと第２映像２５２の左目用映像２５２Ｌの表示タイミングを同期させる。
【００６０】
第１映像２５１が切り替わった場合も、第２映像２５２が切り替わった場合も、ある基準信号を事前に生成しておき、この基準信号に、第１映像２５１の右目用映像フレーム２５１Ｒｆと左目用映像フレーム２５１Ｌｆの遅延を合わせ、第２映像２５２の右目用映像フレーム２５２Ｒｆと左目用映像フレーム２５２Ｌｆの遅延を合わせる。
【００６１】
なお、このある基準信号は、第１Ｒ映像フレーム２５１Ｒｆと第１Ｌ映像フレーム２５１Ｌｆとを有する第１映像用フレーム信号、および、第２Ｒ映像フレーム２５２Ｒｆと第２Ｌ映像フレーム２５２Ｌｆとを有する第２映像用フレーム信号と非同期にして生成してもよいし、第１映像用フレーム信号または第２映像用フレーム信号のいずれかと同期させて生成してもよいし、第１映像用フレーム信号または第２映像用フレーム信号を基準に遅延させて生成してもよい。
【００６２】
＜同期表示された第１映像２５１と第２映像２５２について＞
次に、同期表示された第１映像２５１と第２映像２５２について説明する。
【００６３】
第１のフレーム処理または第２のフレーム処理を施すことによって、図９Ｂに示すように、第１映像用フレーム信号における複数の第１Ｒ映像フレーム２５１Ｒｆと複数の第１Ｌ映像フレーム２５１Ｌｆと、第２映像用フレーム信号における複数の第２Ｒ映像フレーム２５２Ｒｆと複数の第２Ｌ映像フレーム２５２Ｌｆとの同期を取ることができる。
【００６４】
シャッター方式の眼鏡１００を用いて、図４に示すように、一つの画面２２０に表示された第１映像２５１と第２映像２５２を見た際、第１映像２５１における第１Ｒ映像フレーム２５１Ｒｆが表示される期間は、第２映像２５２における第２Ｒ映像フレーム２５２Ｒｆが表示され、第１映像２５１における第１Ｌ映像フレーム２５１Ｌｆが表示される期間は、第２映像用２６０における第２Ｒ映像フレーム２６２Ｌが表示される。
【００６５】
すなわち、視聴者は、シャッター方式の眼鏡１００を用いて、第１映像２５１と第２映像２５２を同時に見ることができる。
【００６６】
＜まとめ＞
上記構成によれば、映像制御部２４０が画面２２０の任意の位置に第１映像２５１と第２映像２５２を同時に表示するので、視聴者は第１映像２５１または第２映像２５２のいずれかを自由に選択でき利便性が向上する。
【００６７】
特に、第１映像２５１または第２映像２５２の内、第１映像２５１の右目用映像２５１Ｒと第２映像２５２の右目用映像２５２Ｒの表示タイミングを同期させ、第１映像２５１の左目用映像２５１Ｌと第２映像２５２の左目用映像２５２Ｌの表示タイミングを同期させているので、これら２つの第１映像２５１と第２映像２５２は、同じタイミングで右目用映像２５１Ｒ、２５２Ｒと左目用映像２５１Ｌ、２５２Ｌを画面に表示することになる。
【００６８】
すなわち、シャッター方式の眼鏡１００を用いて、視聴者がこれらの第１映像２５１と第２映像２５２を見た場合、右目用映像２５１Ｒ、２５２Ｒと左目用映像２５１Ｌ、２５２Ｌの表示タイミングを同期させたこれら２つの映像を、正常な立体映像として同時に見ることができる。これは、シャッター方式の眼鏡１００のシャッター開閉が右目用映像２５１Ｒ、２５２Ｒと左目用映像２５１Ｌ、２５２Ｌの表示タイミングに同期しているからである。一方、右目用映像２５１Ｒ、２５２Ｒと左目用映像２５１Ｌ、２５２Ｌの表示タイミングを同期させていない映像は、断片的な映像になったりして正常な立体映像として見ることができない。したがって、１つの画面に第１映像２５１と第２映像２５２を表示させる際、視聴者が正常な映像として見たい場合は、右目用映像２５１Ｒ、２５２Ｒと左目用映像２５１Ｌ、２５２Ｌの表示タイミングを同期させておけばよい。これによって、第１映像２５１と第２映像２５２を、確実に、複数の立体映像として同時に見ることができる。
【００６９】
また、第１のフレーム処理を施す映像制御部２４０を用いれば、映像制御部２４０が、第１Ｒ映像フレーム２５１Ｒｆと第１Ｌ映像フレーム２５１Ｌｆを格納するメモリ部２６０と、第１Ｒ映像フレーム２５１Ｒｆと第１Ｌ映像フレーム２５１Ｌｆをメモリ部２６０に書き込むライト部２７０と、第１Ｒ映像フレーム２５１Ｒｆと第１Ｌ映像フレーム２５１Ｌｆをメモリ部２６０から読み出すリード部２８０とを有する。
【００７０】
このリード部２８０が、第２Ｒ映像フレーム２５２Ｒｆと同期させるようにメモリ部２６０から第１Ｒ映像フレーム２５１Ｒｆを読み出すとともに、第２Ｌ映像フレーム２５２Ｌｆと同期させるようにメモリ部２６０から第１Ｌ映像フレーム２５１Ｌｆを読み出すので、第１映像用フレーム信号における第１Ｒ映像フレーム２５１Ｒｆおよび第１Ｌ映像フレーム２５１Ｌｆと、第２映像用フレーム信号における第２Ｒ映像フレーム２５２Ｒｆおよび第２Ｌ映像フレーム２５２Ｌｆとの同期が取れていない場合でも、第１映像用フレーム信号における第１Ｒ映像フレーム２５１Ｒｆおよび第１Ｌ映像フレーム２５１Ｌｆと、第２映像用フレーム信号における第２Ｒ映像フレーム２５２Ｒｆおよび第２Ｌ映像フレーム２５２Ｌｆとの同期を取ることができる。これによって、第１映像２５１と第２映像２５２を、確実に、複数の立体映像として同時に見ることができる。
【００７１】
また、第２のフレーム処理を施す映像制御部２４０を用いれば、映像制御部２４０が、第１Ｒ映像フレーム２５１Ｒｆと第２Ｒ映像フレーム２５２Ｒと第１Ｌ映像フレーム２５１Ｌと第２Ｌ映像フレーム２５２Ｌｆを格納するメモリ部２６０と、第１Ｒ映像フレーム２５１Ｒｆと第２Ｒ映像フレーム２５２Ｒｆと第１Ｌ映像フレーム２５１Ｌｆと第２Ｌ映像フレーム２５２Ｌｆをメモリ部２６０に書き込むライト部２７０と、第１Ｒ映像フレーム２５１Ｒｆと第２Ｒ映像フレーム２５２Ｒｆと第１Ｌ映像フレーム２５１Ｌｆと第２Ｌ映像フレーム２５２Ｌｆをメモリ部２６０から読み出すリード部２８０とを有する。
【００７２】
このリード部２８０が、第１Ｒ映像フレーム２５１Ｒｆと第２Ｒ映像フレーム２５２Ｒｆの読み出しタイミングを同期させて読み出すとともに、第１Ｌ映像フレーム２５１Ｌｆと第２Ｌ映像フレーム２５２Ｌｆの読み出しタイミングを同期させて読み出すので、第１映像用フレーム信号における第１Ｒ映像フレーム２５１Ｒｆおよび第１Ｌ映像フレーム２５１Ｌｆと、第２映像用フレーム信号における第２Ｒ映像フレーム２５２Ｒｆおよび第２Ｌ映像フレーム２５２Ｌｆとの同期が取れていない場合でも、第１映像用フレーム信号における第１Ｒ映像フレーム２５１Ｒｆおよび第１Ｌ映像フレーム２５１Ｌｆと、第２映像用フレーム信号における第２Ｒ映像フレーム２５２Ｒｆおよび第２Ｌ映像フレーム２５２Ｌｆとの同期を取ることができる。これによって、第１映像２５１と第２映像２５２を、確実に、複数の立体映像として同時に見ることができる。
【００７３】
なお、本実施の形態では、複数の映像として、第１映像２５１と第２映像２５２の２つを用いた場合について説明したが、それ以上の映像を用いた場合も同様である。少なくとも２つの映像における各々の右目用映像２５１Ｒ、２５２Ｒの表示タイミングを同期させ、各々の映像における左目用映像２５１Ｌ、２５１Ｌの表示タイミングを同期させれば、同様の効果を得ることができる。
【産業上の利用可能性】
【００７４】
本発明は、複数の立体映像を視聴者が自由に選択でき、利便性を向上した立体映像表示装置に適用できる。
【符号の説明】
【００７５】
１００    眼鏡
２００    立体映像表示装置
２１０    映像
２１０Ｒ    右目用映像
２１０Ｌ    左目用映像
２２０    画面
２３０    表示パネル
２４０    映像制御部
２５１    第１映像
２５１Ｒ    右目用映像
２５１Ｒｆ    第１Ｒ映像フレーム
２５１Ｒｄ    映像データ
２５１Ｌ    左目用映像
２５１Ｌｆ    第１Ｌ映像フレーム
２５１Ｌｄ    映像データ
２５２    第２映像
２５２Ｒ    右目用映像
２５２Ｒｆ    第２Ｒ映像フレーム
２５２Ｒｄ    映像データ
２５２Ｌ    左目用映像
２５２Ｌｆ    第２Ｌ映像フレーム
２５２Ｌｄ    映像データ
２６０    メモリ部
２７０    ライト部
２８０    リード部
【図１】
2013080987.tif 000003
【図２】
2013080987.tif 000004
【図３】
2013080987.tif 000005
【図４】
2013080987.tif 000006
【図５】
2013080987.tif 000007
【図６】
2013080987.tif 000008
【図７Ａ】
2013080987.tif 000009
【図７Ｂ】
2013080987.tif 000010
【図８】
2013080987.tif 000011
【図９Ａ】
2013080987.tif 000012
【図９Ｂ】
2013080987.tif 000013
【図１０】
2013080987.tif 000014